(57)【特許請求の範囲】
【請求項１】
第１の排液吸収層と、防水層と、第２の排液吸収層とをこの順序に積層し、この積層体にスリットを設け、このスリットにドレーンを挿入してスリット内にドレーンを支持し得るようにしたことを特徴とする排液管理用パッド。
【請求項２】
第１の排液吸収層と、防水層とを積層し、この積層体にスリットを設け、このスリットにドレーンを挿入してスリット内にドレーンを支持し得るようにし、防水層の上に第２の排液吸収層を分離式に積層し得るようにしたことを特徴とする排液管理用パッド。
【請求項３】
スリットを積層体のほぼ中央部から積層体の周縁に達するように形成したことを特徴とする請求項１又は２記載の排液管理用パッド。
【請求項４】
スリットを積層体のほぼ中央部に積層体の周縁部には達しないように形成したことを特徴とする請求項１又は２記載の排液管理用パッド。
【請求項５】
積層体を液透過性の被覆層で包囲したことを特徴とする請求項１〜４のいずれか１つに記載の排液管理用パッド。
【請求項６】
積層体を包む被覆層の周縁を封止したことを特徴とする請求項５記載の排液管理用パッド。
【発明の詳細な説明】
【０００１】
【発明の属する技術分野】
本発明は、体内に貯留した液体や気体を排出するため体外から体腔内に挿入するドレーンから排出される液体を処理するための排液管理用パッドに関する。
【０００２】
【従来の技術】
体内に貯留した、又は貯留することが予想される液体や気体はこれを適切に体外へ排出せしめないと治癒が遅れるおそれがある。このため、体外から体腔内へ管状又は帯状に形成した所謂ドレーンと称する部材を挿入し、体内の液体や気体をドレーンを介して排出せしめること（ドレナージという）が行われている。このドレナージには閉鎖式と開放式とがあり、閉鎖式においては、体表部に形成したドレーン創（ドレーンを引き出すための開口部）からドレーンの一端を体内に挿入し、ドレーンの他端を接続チューブにより貯留槽に接続し、排液を貯留槽に貯留するものであり、滲出する排液が比較的多い症状に適し、排液が大気に接触することがないので逆行性の感染が起きる可能性が少ないという優れた特長を持っているが、接続チューブや貯留槽を必要とする、患者が体動を制限されるという欠点がある。
【０００３】
これに対し開放式のドレナージにおいては、ドレーン創から体内に挿入したドレーンの体内挿入側と反対側の端部は開放され、そこから体液が排出されるようになっており、接続チューブや貯留槽を必要としない、という利点を持っている。しかしながら、ドレーンの開放された端部から排出された排液を処理する手段を必要とする。また、ドレーンのドレーン創から突き出た部分はドレーン創と必ずしも密着していないから、その隙間から少量ながらも排出される排液の処理も必要である。
【０００４】
このような排液の処理について、従来ガーゼを使用する方法があるが、単にガーゼを重ねただけのため使用中ばらばらになり、また吸収量が小さく防水性能もないため吸収した排液でガーゼ全体が湿った状態となって皮膚を浸潤し、更に吸収した排液で繁殖した細菌が皮膚と接触して皮膚障害を起こす可能性があるといった問題点があり、更にドレーンを支持する機能は全く無い。これに対し、多層式の吸収材料のシートを折畳み、シートの中央部に交差したスリットを設け、このスリットにドレーンを挿入することによってドレーンをシートに固定すると共に、ドレーン創から直接漏出する排液とドレーンの外側開放端から排出される排液とを一つの吸収材料製シートで吸収せしめる排液スポンジが提案されている（特公平４−１５７００号公報）。この排液スポンジによれば、ドレーンはスリットにより支持されるものの、シートの上面に突出するドレーンの開放端から排出される排液とドレーン創からの排液を一つのシートで吸収するものであり、通常ドレーン創からドレーンを経由せず直接ドレーン創の周囲に排出される排液は少量のためシートはそれを吸収し得る容量を持っているから、ドレーン創から直接漏出する排液で皮膚が浸潤されることはないが、ドレーンの開放端から排出される排液はかなりの量にのぼるから、シート内に十分吸収しきれず、排出された排液は重力の作用で徐徐にシート内を下方に降下し、やがてシートの下端、即ちドレーン創と対向する部分にまで達することになる。従って一旦排出された排液が再びドレーン創及びその近傍の皮膚と接触する可能性があり、患者は不快感を持つと共に、皮膚への浸潤を防止することができない。
【０００５】
また、ドレーン創を囲むようにパウチを粘着剤で固定し、ドレーン創から引き出したドレーンをパウチ内に誘導し、パウチから再びドレーンを引き出し、ドレーンから排出された排液を吸収材で受けるか、又はドレーンにチューブを接続して貯留槽に導くという方法も存在し、この方法によればドレーンの支持も確実で、ドレーン創から漏出する排液はパウチ内に収容され、皮膚を浸潤することも少ない。しかしながら、排液量が極端に多い場合には、パウチの粘着剤が排液で使用不能となり、ドレーンを除去する前にパウチを交換しなければならず、非経済的であり、粘着剤による皮膚障害も起こし易い。
【０００６】
【発明が解決しようとする課題】
閉鎖式ドレナージに対し使用が簡便で、価格も低廉な開放式ドレナージにおいて、ドレーン創から排出される排液を処理する上で必要な条件は、ドレーンから排出される排液を吸収できること、ドレーンを支持できる構造であること、使用時にばらばらにならないこと、吸収した排液によって皮膚が浸潤される障害を防止できること、である。前３条件は個々には既に解決する手段が提案されているが、最後の条件については未だ解決策が得られておらず、排液を吸収する部材を頻繁に交換することで対応せざるを得ず、交換には多大の手数と感染の危険性が伴う、という問題点がある。本発明の課題は、上述の４条件をすべて満足する排液管理用パッドを提供することにある。
【０００７】
【課題を解決するための手段】
上述の課題を解決するため、本発明においては、第１の排液吸収層と、防水層と、第２の排液吸収層とをこの順序に積層し、この積層体にスリットを設け、このスリットにドレーンを挿入してスリット内にドレーンを支持し得るようにしたものである。
【０００８】
また本発明においては、上述の課題を解決するため、第１の排液吸収層と、防水層とを積層し、この積層体にスリットを設け、このスリットにドレーンを挿入してスリット内にドレーンを支持し得るようにし、防水層の上に第２の排液吸収層を分離式に積層し得るようにすることもできる。
【０００９】
スリットは積層体のほぼ中央部から積層体の周縁に達するように形成するか、積層体のほぼ中央部に形成し、積層体の周縁部までは延びないようにすることができる。なおスリットの形成位置は積層体の正確な中央部ではなく、中央部から多少ずれた位置に設けることも可能である。積層体は更に液透過性の被覆層で包むことができ、この被覆層の周縁を溶着等により封止するのが好ましい。
【００１０】
【発明の実施の形態】
次に本発明の実施の形態を図面に示す実施例について説明する。
【００１１】
図１は本発明の実施例の、ａは平面図、ｂはａのＢ−Ｂ線に沿う縦断側面図、ｃは使用状態における平面図、ｄは使用状態におけるｃのＤ−Ｄ線に沿う縦断側面図である。１は排液管理用パッドで、第１の排液吸収層２、第２の排液吸収層３、両排液吸収層間に配置された防水層４を有し、各層２、３、４は積層して下側の被覆層５、上側の被覆層６により全体を覆われ一体化されている。この排液管理用パッド１は、図２ａに示すように、長い帯状の被覆層５の両端に第１の排液吸収層２、その上に長い帯状の防水層４、その上の両端に第２の排液吸収層３、更にその上に帯状の被覆層６を重ねて配置し、周縁７、８、９、１０を熱溶着し、図２ｂに示すように長手方向の中央部で左右の部分を直角方向に折り返し、中央部の三角形部分１１の下にそれぞれ第１の排液吸収層２、防水層４、第２の排液吸収層３の積層体によって形成される吸収部１２、１３が位置するようにし、図２ｃに示すように三角形部分１１の下辺１４の若干上部を各吸収部１２、１３に沿って熱溶着１５することによって作られる。この結果吸収部の存在しない三角形部分１１と、その下方に並行する２つの吸収部１２、１３と、両吸収部１２、１３間のスリット１６とが形成される。なお、図の例では三角形部分１１には排液吸収層、防水層の積層体が存在していないが、三角形部分にも吸収部を形成するようにしてもよい。
【００１２】
次に図１ｃ、ｄにより使用方法を説明する。体表２１にドレナージのために形成された開口部、即ちドレーン創２２にドレーン２３を挿入し、このドレーン２３を排液管理用パッド１のスリット１６に通し、ドレーン２３がスリット１６の一番奥、即ち三角形部分１１の下辺１４と接する部分１７に来るようにパッド１を位置せしめる。そしてドレーン２３の先端２４が吸収部１２、１３のいずれか一方の表面に載るようにし、排液管理用パッド全体を被覆材（図示せず）で覆い、ドレーン２３を吸収部上に固定する。図１ｅは排液の流れの模式的説明図である。排液の大部分は矢印で示すようにドレーン２３を通り、先端２４から被覆層６上に排出し、被覆層６を透過して第２の排液吸収層３に吸収される。排液吸収層３内に吸収された排液は通常垂直方向（重力方向）に拡散してゆくが、防水層４に遮られて垂直方向への移動を妨げられ水平方向へ移動し、排液は排液吸収層３全体で効率よく吸収される。一方ドレーン創２２とドレーン２３との間の隙間から漏出する排液は下側の被覆層５を透過し、第１の排液吸収層２に吸収されるが、その漏出量は通常少量であるから第１の排液吸収層２で十分吸収され尽くし、吸収しきれないものが存在したり、吸収されたものが再び漏出して皮膚と接触し浸潤障害などを起こす惧れはない。
【００１３】
図３は本発明の異なる実施例の、ａは平面図、ｂはａのＢ−Ｂ線に沿う縦断側面図、ｃは使用状態における平面図、ｄは使用状態におけるｃのＤ−Ｄ線に沿う縦断側面図、ｅは排液の流れの模式的説明図である。３１は排液管理用パッドで、第１の排液吸収層３２、その上に置かれた防水層３３を有し、第１の排液吸収層３２は下側の被覆層３４により覆われ一体化されている。防水層３３の上には第２の排液吸収層３５が分離可能に配置されている。この排液管理用パッド３１も図２に示す製造方法と同様な方法で作られ、吸収部の存在しない三角形部分３６と、その下方に並行する２つの吸収部３７、３８と、両吸収部３７、３８間のスリット３９とが形成される。この排液管理用パッド３１は、図３ｃ、ｄに示すように、スリット３９からドレーン３１０を引出して吸収部３７、３８のいずれか一方の表面上に先端を固定し、その上に第２の排液吸収層３５を載せ、ドレーン３１０の開放端から排出される排液は第２の排液吸収層３５に吸収せしめ、ドレーン創３１２から直接漏出する排液は第１の排液吸収層３２に吸収せしめる。ドレーン３１０の開放端から排出される排液は防水層３３により遮断され、第１の排液吸収層３２に浸入して皮膚に浸潤作用を及ぼすようなことはない。ドレーン３１０から排出される排液が極端に多い場合には、適宜第２の排液吸収層３５を交換することによって対応することができる。
【００１４】
図４ａ〜ｆは排液吸収層の種々のパターンの平面図を示す。各図において、第１の排液吸収層、防水層、第２の排液吸収層の構成については図１と同様である。図４ａに示す排液管理用パッド４１は第１の排液吸収層、防水層、第２の排液吸収層を積層した長方形状の２つの積層体４２、４３（破線で示す）を並行させ、下側の被覆層４４と上側の被覆層４５とで全体を被覆し、両積層体４２、４３間にほぼ中央部から両積層体４２、４３に平行で周縁４６に達するスリット４７を形成し、両被覆層４４、４５の周囲は熱溶着したものである。図４ｂに示す排液管理用パッド５１は第１の排液吸収層、防水層、第２の排液吸収層を積層した円形状の積層体５２（破線で示す）を下側の被覆層５３と上側の被覆層５４とで全体を覆い、積層体５２のほぼ中心部から円周上の１点に至るスリット５５を形成し、両被覆層５３、５４の周囲を熱溶着したものである。図４ｃの排液管理用パターン６１は三角形状の積層体６２と、台形状の２つの積層体６３、６４（破線で示す）とを図に示すように配置し、全体を下側の被覆層６５と上側の被覆層６６とで覆い、各積層体６２、６３、６４間を走るＹ字状のスリット６７を形成し、両被覆層６５、６６の周囲（スリットの周縁を含む）を熱溶着したものである。スリット６７はそのＹの字の脚端がパッドの周縁にまで延びている。
【００１５】
以上のパターンにおいては、スリットはパッドの周縁まで延びているものであるが、必ずしも周縁まで達する必要性はない。図４ｄに示す排液管理用パッド７１は図４ａと同様に長方形状の２つの積層体７２、７３（破線で示す）を下側の被覆層７４、上側の被覆層７５で覆ったものであるが、スリット７６が中央部にのみ形成され、周縁には達していない点で図４ａのパターンと異なる。図４ｅの排液管理用パターン８１は図４ｂと同様に円形状の積層体８２（破線で示す）を下側の被覆層８３、上側の被覆層８４で覆ったものであるが、スリット８５は中央部にのみ交差した十字状に形成されている点で図４ｂのパターンと異なっている。図４ｆの排液管理用パッド９１は図４ｅと同様に円形状の積層体９２（破線で示す）を下側の被覆層９３、上側の被覆層９４で覆い、中央部にのみ円形状のスリット９５を持っている。なお図４ａ〜ｆに示すパターンはほぼ中央部から周辺部に向け延びる、又は中央部にスリットを設けたものであるが、必ずしも中央部に限らず、中央部からずれるようににスリットを設けてもよい。
【００１６】
図４ａ〜ｆに示すパターンの排液吸収層を使用すると、排液管理用パッドの全体に亘り排液吸収層を分布させることができるから、ドレーンの開放端の固定選択範囲が広くなり、また図４ｂ、ｅ、ｆのパターンでは排液吸収層が全体に連続しているから排液の吸収能力が増大する。なお、図４ａ〜ｆの各積層体は図１に示した構造に限らず、図３に示す構造の積層体を使用してもよい。
【００１７】
次に図４ａのパターンを例にとってその製造方法を説明する。図５は図４ａのパターンを持つ排液管理用パッドの製造工程を示すもので、ａ１、ｂ１、ｃ１は平面図、ａ２、ｂ２、ｃ２は側面図である。なお図は製造工程を理解しやすくするため、実際のパッドと相似ではなく部分的に誇張して示された個所が存在する。図５ａ１、ａ２に示すように、下側の被覆層１０１、２個の第１の排液吸収層１０２、防水層１０３、２個の第２の排液吸収層１０４、上側の被覆層１０５をこの順序に積層し、ｂ１、ｂ２に示すように被覆層と防水層とを外周縁に沿い斜線で示すように相互に熱溶着１０６する。次にｃ１、ｃ２に示すように中央部にスリットを形成する切れ込み１０７を入れると同時に切れ込みの周囲を斜線で示すように熱溶着１０８して完成する。
【００１８】
図６は同様に図４ａのパターンを持った排液管理用パッドの別の製造工程を示すもので、ａ１、ｂ１は平面図、ａ２、ｂ２は側面図である。ａ１，ａ２において下側の被覆層１１１、第１の排液吸収層１１２、防水層１１３、第２の排液吸収層１１４、上側の被覆層１１５をこの順序に積層し、外周縁を斜線で示すように相互に熱溶着１１６したものを２個作り、ｂ１、ｂ２に示すように両者を間にスリット１１７が形成されるように並べ、その上部で接着して結合１１８することにより一体化する。
【００１９】
図７は図４ｄに示すパターンを持った排液管理用パッドの製造工程を示すもので、ａ１、ｂ１、ｃ１は平面図、ａ２、ｂ２、ｃ２は側面図である。ａ１、ａ２ｂ１、ｂ２は図５ａ１、ａ２、ｂ１、ｂ２と同様の工程で、次いでｃ１、ｃ２に示すようにその中央部に切れ込み１２１を入れると同時に切れ込みの周囲を熱溶着１２２する。
【００２０】
図８は図４ｄに示すパターンを持った排液管理用パッドの別の製造工程を示すもので、ａ１、ｂ１は平面図、ａ２、ｂ２は側面図である。ａ１、ａ２において下側の被覆層１３１、防水層１３２、上側の被覆層１３３を重ね、周縁の１辺１３４のみを残して周囲を熱溶着１３５し、中央に切れ込み１３６を入れ、同時に切れ込みの周囲を熱溶着１３７する。次いでｂ１、ｂ２に示すように被覆層１３１、１３３と防水層１３２との間にそれぞれ２個の排液吸収層１３８、１３９を詰め、残る１辺１３４を熱溶着１３１０する。
【００２１】
上述の実施例では被覆層と防水層の周辺を相互に熱溶着したが、被覆層の周辺のみを熱溶着してもよい。また排液吸収層の周辺をも熱溶着してもよい。また、熱溶着で封止する方法に限らず、耐水性の接着剤で封止してもよい。
【００２２】
上述の実施例では第１の排液吸収層、防水層、第２の排液吸収層を被覆層で覆ったものを示したが、被覆層を全く使用せず、三者を相互に接着したり、周縁部のみを相互に熱溶着することによって一体化することもできる。また、排液吸収層のみを被覆層で覆い、この排液吸収層と防水層とを積層して熱溶着又は接着によって一体化してもよい。なお吸収層の材料に高分子吸収体や短繊維状のものを使用する場合には、ゲル化した吸収体、分離したポリマー、脱落した短繊維が皮膚の創傷に移行する恐れがあるから、分離、脱落の可能性のある吸収体を用いる場合には被覆層で覆うことが好ましい。
【００２３】
排液吸収層は吸水能力を有し、柔軟性があり、かさばらない厚みがあることが必要で、繊維状高分子吸収体、粒状高分子吸収体、脱脂綿、ガーゼ、綿又はレーヨン系の不織布、ポリウレタン、ポリスチレン、ポリエチレン等の発泡体を使用することができる。その条件は、生理食塩液を自重の５倍以上、好ましくは２０倍以上吸水し得ることが要求される。通常のガーゼは自重の５倍の吸水能力を持つが、排液管理には従来多く使用されているガーゼよりも吸水能力が高いものを使用することが望ましい。自重の２０倍以上の吸水能力があれば術直後の平均的な排液量に対応することができる。排液吸収層の周囲は溶着することが好ましく、それによって排液に対する防波堤を形成し、排液吸収層に吸収された排液が排液吸収層の外に漏れることを防止することができる。ドレーンを使用して排出される排液の量は、一般に術後は最大１０００ｍｌ／１日、平均５００  ｍｌ／１日であり、術後２〜３日後では１００〜２００  ｍｌ／１日である。また現在病院内での排液管理用パッドに限らず吸収材料の交換は１日当たり２〜３回定期的に行われるのが通常であり、術後の平均５００ｍｌの１／３の量の約１７０ｍｌの排液に本発明の排液吸収層は充分対応し得るものである。
【００２４】
防水層は、防水性と柔軟性を有することが必要で、ポリエチレン、ポリウレタン、ポリプロピレン、ポリ塩化ビニル等のフィルムを使用することができる。厚さは０．０１〜０．１ｍｍ、好ましくは０．０２〜０．０５ｍｍである。
【００２５】
被覆層としては、透水性、柔軟性を有することが必要で、ガーゼ、綿、レーヨン、ポリエチレン、ポリプロピレン、ポリエチレンテレフタレート、ポリアミド等を素材とする種々の織物、編物、不織布を使用することができる。厚さは０．１〜１ｍｍ、好ましくは０．２５〜０．５ｍｍで、厚過ぎると柔軟性が低くなり、使用時に違和感を与える原因となる。吸水能力は排液吸収層の値以下の方が好ましい。被覆層の吸水能力が高いと、皮膚に当たった場合に不快感が増すから非吸水性であることが好ましい。被覆層も排液吸収層、防水層の積層体を包んだ後、周囲を熱シールすることにより吸収された排液が外に漏れるのを防止することができる。
【００２６】
次に本発明のパッドの具体例と従来の比較例とを対比して液体の吸収特性にどのような差異があるかを説明する。
【００２７】
本発明の具体例の検体は次のようにして作製された。即ち、排液吸収層は、繊維状高分子吸収体（カネボウ社製の商品名ベルオアシス）３０％とレーヨン７０％の混紡不織布で目付け１２０ｇ／ｍ２のものを１５ｃｍ×７．５ｃｍの大きさに切ったものを第１の排液吸収層は２枚（重さ２．７ｇ）、第２の排液吸収層は４枚（重さ５．４ｇ）重ねて形成した。防水層は、厚さ０．０２ｍｍのポリエチレンフィルムを１７ｃｍ×１７ｃｍの大きさに切ったもので形成した。被覆層はポリプロピレン、ポリエステルの混合不織布で目付け３０  ｇ／ｍ２のものを１７ｃｍ×１７ｃｍの大きさに切ったもので形成した。以上の各層を図９ａ、ｂに示すように、下側の被覆層１４１、第１の排液吸収層１４２、防水層１４３、第２の排液吸収層１４４、上側の被覆層１４５の順に重ね、両吸収部１４６、１４７間に周辺から８．５ｃｍの位置までスリット１４８を形成し、全周に亘り熱シールした。
【００２８】
比較例１の検体は次のようにして作製された。即ち、排液吸収層として本発明の具体例と同様の素材を６枚（８．１ｇ）重ねたものを使用し、被覆層として目付け３０  ｇ／ｍ２、厚さ０．４ｍｍ、大きさ１７ｃｍ×１７ｃｍの綿不織布を使用し、図１０ａ、ｂに示すように、下側の被覆層１５１、吸収層１５２、上側の被覆層１５３の順に重ね、両吸収部１５４、１５５間に周辺から８．５ｃｍの位置までスリット１５６を形成し、全周に亘り熱シールした。
【００２９】
比較例２の検体は次のようにして作製された。即ち、目付け３４  ｇ／ｍ２、大きさ１５×１５ｃｍのガーゼを１１枚（重さ８．１ｇ）重ね、図１１ａ、ｂに示すように吸収層１６１を形成し、周辺から７．５ｃｍの位置までスリット１６２を形成した。
【００３０】
試験方法は、図１２に示すように、容器１７１の底にろ紙１７２を配置し、その上に検体１７３の皮膚接皮面側を置き、容器の下部からドレーンチューブ１７４を導いて検体のスリット１７５から引出し、検体の皮膚接皮面と反対側の表面にドレーンチューブの先端１７６を固定し、ドレーンチューブの他端から生理食塩液１７７を供給して５０ｍｌ排出させ、検体１７３に吸収させ、ろ紙１７２へ移行した生理食塩液の量を測定し、検体の皮膚接皮面の湿り気を評価した。その結果は、本発明の具体例ではろ紙への移行は全く見られず、湿り気も全く無かった。これに対し、防水層を持たない比較例では、ろ紙へ０．９４３ｍｌの生理食塩液が移行し、検体の皮膚接皮面が少し濡れていた。また比較例２では６．９７２ｍｌの移行が見られ、検体の皮膚接皮面は非常に濡れており、吸収しきれない生理食塩液が容器内にこぼれていた。
【００３１】
【発明の効果】
本発明によれば、排液吸収層を２個使用し、両排液吸収層間に防水層を配置することにより、ドレーン創から直接漏出する比較的少量の排液はその全量を下側の排液吸収層で吸収してしまうことができ、一方ドレーンの開放端から排出される大部分の体液は上側の排液吸収層全体で効率良く吸収され、防水層に遮られるため下側の排液吸収層に浸入することはなく、従って一旦吸収層に吸収した排液が皮膚と接触して浸潤を起こさせる惧れは全くなくなり、ドレーンは排液吸収層のスリットで支持することができ、またパウチの場合のような粘着剤を使用する必要はないから粘着剤による皮膚障害を生じることもなく、ドレーンにより排液を排出させるのに使用する排液管理用パッドに要求される条件をことごとく満たすものである。
【図面の簡単な説明】
【図１】本発明の実施例の、ａは平面図、ｂはａのＢ−Ｂ線に沿う縦断側面図、ｃは使用状態における平面図、ｄは使用状態におけるｃのＤ−Ｄ線に沿う縦断側面図である。
【図２】図１に示す実施例の製造方法の説明図である。
【図３】本発明の異なる実施例の、ａは平面図、ｂはａのＢ−Ｂ線に沿う縦断側面図、ｃは使用状態における平面図、ｄは使用状態におけるｃのＤ−Ｄ線に沿う縦断側面図である。
【図４】ａ〜ｆは本発明の排液吸収層の種々のパターンの平面図である。
【図５】図４ａに示す実施例の製造方法の説明図である。
【図６】図４ａに示す実施例の別の製造方法の説明図である。
【図７】図４ｄに示す実施例の製造方法の説明図である。
【図８】図４ｄに示す実施例の別の製造方法の説明図である。
【図９】性能試験に使用した本発明の検体の、ａは平面図、ｂは断面図である。
【図１０】性能試験に使用した比較例の検体の、ａは平面図、ｂは断面図である。
【図１１】性能試験に使用した別の比較例の検体の、ａは平面図、ｂは断面図である。
【図１２】性能試験に使用した装置の断面図である。
【符号の説明】
１  排液管理用パッド
２  第１の排液吸収層
３  第２の排液吸収層
４  防水層
５  被覆層
６  被覆層
１２  吸収部
１３  吸収部
１６  スリット
２３  ドレーン
３１  排液管理用パッド
３２  第１の排液吸収層
３３  防水層
３４  被覆層
３５  第２の排液吸収層
３７  吸収部
３８  吸収部
３９  スリット
【図１】
0003569223.tif 000002
【図２】
0003569223.tif 000003
【図３】
0003569223.tif 000004
【図４】
0003569223.tif 000005
【図５】
0003569223.tif 000006
【図６】
0003569223.tif 000007
【図７】
0003569223.tif 000008
【図８】
0003569223.tif 000009
【図９】
0003569223.tif 000010
【図１０】
0003569223.tif 000011
【図１１】
0003569223.tif 000012
【図１２】
0003569223.tif 000013